(57)【要約】【課題】人に優しい有機化合物による硬質表面への菌の付着抑制方法を提供する。【解決手段】キラヤ、ソウキョウ、ムクロジ、及びショウマから選ばれる１種又は２種以上の植物から抽出されたサポニン又はサポニンを含有する抽出物を硬質表面に適用し、８．０×１０-5〜１．６×１０-2ｇ／ｃｍ2の割合でサポニン又はサポニンを含有する抽出物を残留させる、硬質表面への菌の付着抑制方法。【選択図】なし【特許請求の範囲】
【請求項１】
キラヤ、ソウキョウ、ムクロジ、及びショウマから選ばれる１種又は２種以上の植物から抽出されたサポニン又は前記植物から抽出されたサポニンを含有する抽出物を硬質表面に適用し、８×１０-7〜１．６×１０-4ｇ／ｃｍ2の割合でサポニン又はサポニンを含有する抽出物を残留させる、硬質表面への菌の付着抑制方法。
【請求項２】
サポニンを含有する溶液、及びサポニンを含有する植物抽出物を含有する溶液から選ばれる溶液を硬質表面に適用した後、該硬質表面を乾燥させてサポニン又はサポニンを含有する抽出物を残留させる請求項１記載の硬質表面への菌の付着抑制方法。
【請求項３】
サポニン又はサポニンを含有する抽出物の適用を、サポニンを含有する溶液、及びサポニンを含有する植物抽出物を含有する溶液から選ばれる溶液の塗布により行う、請求項１又は２記載の硬質表面への菌の付着抑制方法。
【請求項４】
硬質表面の材質が、プラスチック、金属、陶磁器、及びガラスから選ばれる１種又は２種以上である、請求項１〜３の何れか１項記載の硬質表面への菌の付着抑制方法。
【請求項５】
溶液中のサポニン又はサポニンを含有する植物抽出物の含有量が０．００１〜０．２質量％である、請求項２〜４の何れか１項記載の硬質表面への菌の付着抑制方法。
【請求項６】
溶液が水溶液であり、該水溶液中の水の含有量が５０〜９９．９９９質量％である、請求項２〜５の何れか１項記載の硬質表面への菌の付着抑制方法。
【請求項７】
請求項１〜６の何れか１項記載の硬質表面への菌の付着抑制方法に用いる、キラヤ、ソウキョウ、ムクロジ、及びショウマから選ばれる１種又は２種以上の植物から抽出されたサポニン又は前記植物から抽出されたサポニンを含有する抽出物を含有する硬質表面への菌の付着抑制剤。
【発明の詳細な説明】
【技術分野】
【０００１】
本発明は硬質表面への菌の付着抑制方法に関する。
【背景技術】
【０００２】
食品加工工場、厨房、病院、介護施設などは、食中毒や感染症などのリスクを低減するため、高い衛生状態を保つ必要がある。そのため、殺菌剤を用い、時間とコストをかけた洗浄が行われている。しかし、一度表面に付着した菌やスライム化した菌は、殺菌剤に対して耐性を有するため、殺菌洗浄が難しく菌が残存する場合もあり課題となっている。そこで、硬質表面への菌の付着、更にはスライム等の生成を抑制することで、菌残存の課題を低減し、更には洗浄の手間やコストも低減できるものと考えている。
【０００３】
例えば、特許文献１には製紙工場の抄紙工程における硬質表面にカチオンポリマー及びカチオン界面活性剤を適用し、スライムを形成する微生物あるいは藻類を殺滅または抑制する方法が開示されている。また、特許文献２には、次亜塩素酸あるいは次亜塩素酸を発生させる化合物とカチオン重合体を、一般の工業用水系、及び排水系に適用し、鉄バクテリアの抑制方法が開示されている。
【０００４】
一方、植物由来のサポニンは界面活性剤でありながら、好ましい抗微生物性を示す。この性質を利用して、サポニンを保存料や殺菌料として飲料、食物、また塗料中などへ含有させる試みがなされている。例えば、特許文献３には、ユッカ抽出物を用いて食品の保存性を向上させる方法が開示されている。
【先行技術文献】
【特許文献】
【０００５】
【特許文献１】特開平８−２６０３９２号公報
【特許文献２】特開２００３−７１４６４号公報
【特許文献３】特開平８−８９２２４号公報
【発明の概要】
【発明が解決しようとする課題】
【０００６】
食品加工工場、厨房、病院、介護施設等においては衛生管理が重要であるが、従来の硬質表面に用いられる化合物には、用途の制限がより少なく、また、人や環境に優しい性質を有することが望まれる。
【０００７】
特許文献１のようにカチオンポリマー及びカチオン界面活性剤を適用すると、抗微生物性が付与されるなどの利点が見られるが、適用範囲に制限があった。つまり、剤塗布後に水洗を行わない表面、調理器具や食器、コンテナ、食品への適用は困難と言える。
【０００８】
また、特許文献２のように次亜塩素酸による殺菌を行うと、殺菌効果は高いが、次亜塩素酸特有のニオイの発生や、剤作用後に水洗を行う必要があるなど、作業環境と適用範囲の点で課題がある。
【０００９】
特許文献３は、食品の保存、殺菌を目的として、所定の抗菌性物質とステロイドサポニンとを食品に添加もしくは付着させるものであり、硬質表面への菌の付着抑制についての課題は記載も示唆もない。
【００１０】
本発明の課題は、人に優しい有機化合物による硬質表面への菌の付着抑制方法を提供することである。尚、本発明において「人に優しい化合物」とは、人体に悪影響を及ばさない化合物であり、可食性天然物、食品添加物などとして知られている化合物が包含される。
【課題を解決するための手段】
【００１１】
本発明は、キラヤ、ソウキョウ、ムクロジ、及びショウマから選ばれる１種又は２種以上の植物から抽出されたサポニン又は前記植物から抽出されたサポニンを含有する抽出物を硬質表面に適用し、８×１０-7〜１．６×１０-4ｇ／ｃｍ2の割合でサポニン又はサポニンを含有する抽出物を残留させる、硬質表面への菌の付着抑制方法に関する。
【００１２】
また、本発明は、上記本発明の硬質表面への菌の付着抑制方法に用いる、キラヤ、ソウキョウ、ムクロジ、及びショウマから選ばれる１種又は２種以上の植物から抽出されたサポニン又は前記植物から抽出されたサポニンを含有する抽出物を含有する硬質表面への菌の付着抑制剤に関する。
【発明の効果】
【００１３】
本発明によると、人に優しいサポニンによる硬質表面への菌の付着抑制方法が提供される。
【発明を実施するための形態】
【００１４】
本発明の硬質表面への菌の付着抑制方法は、所定量のキラヤ、ソウキョウ、ムクロジ、及びショウマから選ばれる１種又は２種以上の植物から抽出されたサポニン又は前記植物から抽出されたサポニンを含有する植物抽出物を硬質表面に適用し残留させる。
【００１５】
サポニンは、主に植物から抽出される配糖体の一種であり、界面活性能を示す。これらは糖鎖単位と非炭水化物アグリコンを含み、アグリコンの種類からステロイドサポニンとトリテルペンサポニンに分類される。現在までに多数のステロイドサポニン、トリテルペンサポニンが同定されている。
【００１６】
本発明の硬質表面の菌の付着抑制方法に用いるサポニン又はサポニンを含有する植物抽出物は、硬質表面の菌の付着抑制の観点から、キラヤ、ソウキョウ、ムクロジ、及びショウマから選ばれる１種又は２種以上の植物から抽出されたサポニン、又は前記植物から抽出されたサポニンを含有する植物抽出物である。
【００１７】
植物からサポニンを含有する植物抽出物を調製する方法としては、一例として次の調製方法が挙げられるが、これに限定されるものではない。また、「天然有機化合物実験法-生理活性物質の抽出と分離」（講談社サイエンティフィク、1977年発行）に記載の方法も採用できる。
【００１８】
［サポニンを含有する植物抽出物の調製方法の例］
各植物試料（植物の溶媒抽出物）を減圧下、溶媒を留去して固形物を得る。これに水：水飽和ｎ−ブタノール＝１：１（２５℃における体積比）を加え、分液ロートで振り混ぜた後、分層させる。上層をとり、減圧下、溶媒を留去して粗サポニン画分を得る。これにアセトンを加え、２５℃にて３０分間撹拌した後これをろ過し、ろ紙に残った固形物を回収して乾燥させ、サポニンを含有する植物抽出物を得る。
【００１９】
本発明の硬質表面への菌の付着抑制方法において、硬質表面の単位面積当たりのサポニン又はサポニンを含有する抽出物の残留量は、菌の付着抑制の観点から、８×１０-7〜１．６×１０-4ｇ／ｃｍ2であり、２×１０-6〜１．２×１０-4ｇ／ｃｍ2が好ましく、３×１０-6〜８×１０-5ｇ／ｃｍ2が更に好ましい。また、本発明の硬質表面への菌の付着抑制方法において、硬質表面の単位面積当たりのサポニン又はサポニンを含有する抽出物の残留量は、菌の付着抑制の観点から、８×１０-7ｇ／ｃｍ2以上であり、２×１０-6ｇ／ｃｍ2以上、更に３×１０-6以上が好ましく、そして、１．６×１０-4ｇ／ｃｍ2以下であり、１．２×１０-4ｇ／ｃｍ2以下、更に８×１０-5ｇ／ｃｍ2以下が好ましい。
【００２０】
本発明の硬質表面への菌の付着抑制方法では、硬質表面に適用したサポニン又はサポニンを含有する抽出物の全量のうち、５０〜１００質量％、更に６０〜１００質量％、更に７０〜１００質量％、更に８０〜１００質量％、更に９０〜１００質量％が残留することが好ましい。
【００２１】
本発明において、硬質表面の材質は特に限定はなく、ポリエチレン、ポリプロピレンやポリスチレン等のプラスチック、金属、陶磁器、ガラス等が挙げられる。硬質表面の材質として、プラスチック、金属、陶磁器、及びガラスから選ばれる１種又は２種以上が挙げられる。例えば、用途として、食器、調理器具、床、タイル、鏡、窓ガラス、トイレタリー用品等種々の用途に適用できる。また、食品に適用してもよい。
【００２２】
また、本発明の硬質表面への菌の付着抑制方法の対象となる菌としては、対象エリアに存在、また、食材などから間接的に対象エリアに付着する菌に対して有効であり、当該微生物は特に限定されないが、グラム陽性菌又はグラム陰性菌に対しても有効で、これら菌の状態が芽細胞又は栄養細胞であっても有効である。
【００２３】
例えば、グラム陰性菌としては、S. dysenteria（赤痢菌Ａ亜群），S. flexneri（赤痢菌Ｂ亜群），S. boydii（赤痢菌Ｃ亜群），S. sonnei（赤痢菌Ｄ亜群）等の赤痢属（Shigella）細菌、ブルセラ属（Brucella）細菌、E. coli.O157等の大腸菌群（Escherichia coli）、S. typhi（チフス菌），S. paratyphi A（パラチフスＡ菌），S. paratyphi B（パラチフスＢ菌），S. Typhimurium （ネズミチフス菌）S. Enteritidis（ゲルトネル菌）等のサルモネラ属（Salmonella）細菌、V. cholerae（コレラ菌），V. parahaemolyticus（腸炎ビブリオ）等のビブリオ属（Vibrio）細菌：緑膿菌（P. aeruginosa）等のシュードモナス属（Pseudomonas）細菌、A. hidrophila（エロモナス・ヒドロフィア），A.sobria（エロモナス・ソブリア），A.caviae（エロモナス・キャビエ），A.salmonicida（エロモナス・サルモニサイダ）等のエロモナス（Aeromonas）属細菌、C. jejuni ，C. coli等のカンピロバクター属(Campylobacter）細菌、A.baumannii（アシネトバクター・バウマニー）等のアシネトバクター属(Acinetobacter)細菌、S.marcescens（セラチア・マルセッセンス）等のセラチア属(Serratia)細菌、K.pneumoniae（クレブシエラ・ニューモニエ）等のクレブシエラ属(Klebsiella)細菌等が挙げられる。
【００２４】
また、例えば、グラム陽性菌としては、B.subtilis（枯草菌），炭疽菌B.anthracis（炭疽菌），B.cereus（セレウス菌）等のバシラス（Bacillus）属細菌、L.monocytogenes（リステリア・モノサイトゲネス菌）L.ivanovii（リステリア・イバノヴィ菌），L.seeligeri（リステリア・シーリゲリー菌）等のリステリア（Listeria）属細菌、Al.acidoterrestris（旧B.acidoterrestris）等のアリシクロバチルス（Alicyclobacillus）属細菌、S.aureus（黄色ブドウ球菌），S.pyogenes等のブドウ球菌（Staphylococcus）属細菌、C.botulinum（ボツリヌス菌），C.perfringens（ウェルシュ菌），C.difficile ，C.sporogens等のクロストリジウム（Clostridium）属細菌、Leuconostoc mesenteroides等のリューコノストック(Leuconostoc)属細菌をはじめとする乳酸球菌、Lactobacillus plantarum等のラクトバチルス（Lactobacillu）属細菌をはじめとする乳酸桿菌、Desulfotomaculum nigrificans等のデスルフォマクルム（Desulfotomaculum）属細菌、Enterococcus faecalis等のエンテロコッカス（Enterococcus）細菌、Y.enterocolitica（エルシニア・エンテロコリチカ）等のエルシニア（Yersinia）属細菌等が挙げられる。
【００２５】
本発明の硬質表面への菌の付着抑制方法は、上記の菌のうち、アシネトバクター属(Acinetobacter)細菌、シュードモナス属（Pseudomonas）細菌から選ばれる菌、更にアシネトバクター属(Acinetobacter)細菌から選ばれる菌に対してより有効である。
【００２６】
本発明において、硬質表面への菌の付着抑制とは、サポニン又はサポニンを含有する抽出物の残留により硬質表面に付着する菌数が低減されることである。ここで、硬質表面に付着する菌数は実施例記載の方法で測定することができる。
【００２７】
本発明の硬質表面における菌の付着抑制方法によると、実施例記載の方法による菌付着抑制率を９０％以上、更に９９％以上とすることができる。
【００２８】
本発明の硬質表面における菌の付着抑制方法によると、菌の付着数を９０％以上、好ましくは９９％以上低減することができる。
【００２９】
本発明の硬質表面への菌の付着抑制方法において、サポニン又はサポニンを含有する抽出物を硬質表面に適用する方法としては、サポニン又はサポニンを含有する抽出物を硬質表面に接触させる方法が好ましく、サポニン又はサポニンを含有する植物抽出物を含有する液体組成物、例えば溶液などを用いることが好ましい。サポニン又はサポニンを含有する植物抽出物を含有する液体組成物、例えば溶液を用いる場合、該組成物を硬質表面にスプレーする、該組成物を硬質表面に流下する、該組成物を硬質表面に刷毛塗りする、該組成物に硬質表面を浸漬する等の方法により、硬質表面に塗布することが好ましい。本発明では、サポニンを含有する溶液、及びサポニンを含有する植物抽出物を含有する溶液から選ばれる溶液を硬質表面に適用、例えば塗布することが好ましい。サポニン又はサポニンを含有する抽出物の硬質表面への適用は、常温（２５℃）で行うことができる。
【００３０】
本発明の硬質表面における菌の付着抑制方法において、簡便性の観点から、サポニン又はサポニンを含有する植物抽出物を含有する液体組成物、好ましくは溶液を硬質表面に塗布して、サポニン又はサポニンを含有する抽出物を硬質表面に残留させることが好ましい。また、硬質表面を有する物品を浸漬する方法も好ましい。簡便性の観点から、サポニン又はサポニンを含有する植物抽出物を含有する液体組成物、好ましくは溶液を塗布して、サポニン又はサポニンを含有する抽出物を硬質表面に残留させることがより好ましい。
【００３１】
サポニン又はサポニンを含有する植物抽出物を含有する液体組成物は、水、エタノール等のアルコール等を含有することができ、溶液の溶媒としては、水、エタノールが挙げられ、水が好ましい。
【００３２】
本発明の硬質表面への菌の付着抑制方法に用いる、サポニン又はサポニンを含有する植物抽出物を含有する液体組成物（好ましくは溶液）中のサポニン又はサポニンを含有する抽出物の含有量は、硬質表面への菌の付着抑制の観点から、好ましくは０．００１質量％以上、より好ましくは０．００５質量％以上、更に好ましくは０．０１質量％以上、そして、０．２質量％以下である。また、本発明の硬質表面への菌の付着抑制方法に用いる、サポニン又はサポニンを含有する植物抽出物を含有する液体組成物（好ましくは溶液）中のサポニン又はサポニンを含有する植物抽出物の含有量は、好ましくは０．００１〜０．２質量％、より好ましくは０．００５〜０．２質量％、更に好ましくは０．０１〜０．２質量％である。
【００３３】
また、本発明の硬質表面への菌の付着抑制方法に用いる、サポニン又はサポニンを含有する植物抽出物を含有する液体組成物は水溶液であることが好ましい。該水溶液中の水の含有量は、５０質量％以上、更に６０質量％以上、更に７０質量％以上、更に９０質量％以上、更に９９質量％以上、更に９９．５質量％以上が好ましく、そして、９９．９９９質量％以下、更に９９．９９質量％以下、更に９９．９質量％以下、更に９９質量％以下が好ましい。また、５０〜９９．９９９質量％、更に６０〜９９．９９９質量％、更に７０〜９９．９９質量％、更に９０〜９９．９質量％、９５〜９９質量％が好ましい。
【００３４】
本発明では、サポニン又はサポニンを含有する植物抽出物を０．００１質量％以上、更に０．００５質量％以上、更に０．０１質量％以上、そして、０．２質量％以下含有する液体組成物を用いることが好ましい。
【００３５】
また、本発明では、サポニン又はサポニンを含有する植物抽出物を０．００１〜０．２質量％、更に０．００５〜０．２質量％、より更に０．０１〜０．２質量％含有する液体組成物を用いることが好ましい。
【００３６】
本発明では、水を５０質量％以上、更に６０質量％以上、更に７０質量％以上、更に９０質量％以上、更に９９質量％以上、更に９９．５質量％以上が好ましく、そして、９９．９９９質量％以下、更に９９．９９質量％以下、更に９９．９質量％以下、更に９９質量％以下含有する液体組成物、更に水溶液を用いることが好ましい。
【００３７】
また、本発明では、水を５０〜９９．９９９質量％、更に６０〜９９．９９９質量％、７０〜９９．９９質量％、更に９０〜９９．９質量％、更に９５〜９９質量％含有する液体組成物、更に水溶液を用いることが好ましい。
【００３８】
本発明の硬質表面への菌の付着抑制方法では、サポニン又はサポニンを含有する抽出物を硬質表面に残留させる。残留させる方法としては、サポニン又はサポニンを含有する植物抽出物を含有する溶液、具体的にはサポニン又はサポニンを含有する植物抽出物と水とを前記範囲で含有する水溶液を硬質表面に適用した後、例えば５〜２５℃で、５〜１０分、より好ましくは１０〜３０分放置することにより乾燥させる方法が挙げられる。この方法は、簡単に硬質表面にサポニン又はサポニンを含有する抽出物の薄膜を形成させることができるため、本発明の硬質表面への菌の付着抑制方法で行うのに好ましい。
【００３９】
本発明の硬質表面への菌の付着抑制方法では、菌の付着抑制効率の観点から、サポニン又はサポニンを含有する抽出物を硬質表面に残留させる時間（期間）は１０分以上が好ましく、１時間以上がより好ましく、６時間以上が更に好ましく、１日以上がより更に好ましく、作業性の観点から、１ヶ月以下が好ましく、２週間以下がより好ましく、１週間以下が更に好ましく、３日以下がより更に好ましい。
【００４０】
本発明の硬質表面への菌の付着抑制方法では、前記残留期間に、定期的又は不定期的に洗浄工程を行い、再度、サポニン又はサポニンを含有する抽出物を補って残留させることが好ましい。すなわち、本発明は、サポニン又はサポニンを含有する抽出物を硬質表面に適用し、８×１０-7〜１．６×１０-4ｇ／ｃｍ2の割合でサポニン又はサポニンを含有する抽出物を残留させる工程、前記硬質表面を洗浄する工程を有する硬質表面への菌の付着抑制方法が好ましく、更に、サポニン又はサポニンを含有する抽出物を硬質表面に適用し、８×１０-7〜１．６×１０-4ｇ／ｃｍ2の割合でサポニン又はサポニンを含有する抽出物を残留させる工程、前記硬質表面を洗浄する工程を有し、これらの工程を交互にそれぞれ複数回行う、硬質表面への菌の付着抑制方法が好ましい。定期的に洗浄を行う場合、３日に１回、好ましくは１日に１回、より好ましくは１２時間に１回洗浄を行うことが好ましい。定期的に洗浄を行う場合も不定期的に洗浄を行う場合も、洗浄後３０分以内に、好ましくは洗浄後１０分以内に、より好ましくは洗浄後５分以内に、更に好ましくは１分以内に、再度所定量のサポニン又はサポニンを含有する抽出物を硬質表面に残留させるのが好ましい。
【００４１】
本発明の硬質表面への菌の付着抑制方法では、菌の付着抑制効率の観点から、サポニン又はサポニンを含有する抽出物が、硬質表面に１０分以上、更に１時間以上、更に６時間以上、１日以上、前記所定範囲で残留する量で、サポニン又はサポニンを含有する抽出物を硬質表面に適用することが好ましく、そして、作業性の観点から、１ヶ月以下、更に２週間以下、更に１週間以下、更に３日以下、前記所定範囲で残留する量で、サポニン又はサポニンを含有する抽出物を硬質表面に適用することが好ましい。
【００４２】
本発明の硬質表面への菌の付着抑制方法に用いる、硬質表面への菌の付着抑制剤は、菌の付着抑制の観点から、好ましくは０．００１〜０．２質量％、より好ましくは０．００５〜０．２質量％、更に好ましくは０．０１〜０．２質量％のサポニン又はサポニンを含有する植物抽出物を含有する。また、該付着抑制剤は、水、エタノール等の液体成分、好ましくは水を含有することができる。該付着抑制剤は、水を５０〜９９．９９９質量％、更に６０〜９９．９９９質量％、更に７０〜９９．９９質量％、更に９０〜９９．９質量％、更に９５〜９９質量％含有することが好ましい。
【００４３】
本発明の硬質表面への菌の付着抑制方法により、菌による硬質表面の汚染を防止でき、食品加工工場、厨房、病院、介護施設等における衛生管理に有用である。
【実施例】
【００４４】
＜実施例１〜４、比較例１＞
［菌付着抑制率］
表１に示す濃度（有効分濃度）で調製した菌付着抑制剤を２００μＬ、ポリエチレン試験板（３ｃｍ×８ｃｍ（厚さ１ｍｍ）、日本テストパネル株式会社製）の全面に塗布し、２５℃にて３０分間自然乾燥した試験板Ａを作製した。この方法では、ポリエチレン試験板に適用した有効分（サポニン等）の全量が該試験板上に残留する。試験板Ａに菌数１０9cfu/mLの菌液（使用菌種：Acinetobacter baumannii）を２００μＬ塗布し、塗布した菌液が湿潤状態を維持する条件で、３０℃で３時間静置した。その後５０ｍＬの滅菌水で菌液を洗い流し、基板上に付着した菌をＬＰ希釈液「ダイゴ」（日本製薬株式会社製）１０ｍＬで流し取って回収し、培養法でコロニーカウントを行い、試験板への付着菌数を求めた。付着抑制率を下記の式（１）により算出し表１に記載した。なお、試験板Ａにおける有効分（水以外の成分）の残留量は、塗布した菌付着抑制剤中の有効分の量を試験板の面積で除することにより求めると、４．２×１０-6ｇ／ｃｍ2程度となる（比較例１を除く）。
【００４５】
付着抑制率（％）＝（Ａｃ−Ａｓ）／Ａｃ×１００      （１）
ここで、
Ａｃ：コントロール菌数（cfu/cm2）＝水をサンプル液とした時の付着菌数
Ａｓ：サンプル菌数（cfu/cm2）＝菌付着抑制剤をサンプル液とした時の付着菌数
【００４６】
［殺菌性の評価方法］
表１に示す濃度（有効分濃度）で調製した菌付着抑制剤２ｍＬに、菌数１０8cfu/mLの菌液（使用菌種：Acinetobacter baumannii）を１００μＬ添加した。この際初期菌数は１０6.3cfu/mLであった。１分後、段階希釈を行い培養法でコロニーをカウントし、菌付着抑制剤接触後の菌数を表１に記載（対数表記）した。なお実験は全て２５℃にて行った。表１に結果を示す。何れも、初期菌数１０6.3cfu/mLに対して差が１桁以内の菌数であるので、殺菌性はないと判断した。尚、本殺菌性の評価方法は、浮遊菌に対する試験であり、硬質表面に付着した菌に対する試験よりも殺菌性が発現しやすいものとなっている。そのため、この試験で殺菌性が生じない場合は、硬質表面での殺菌性も生じない。
【００４７】
【表１】
2014033827.tif 000002
【００４８】
以下に表１で用いた薬剤について説明する。尚、ある植物Ｘ（Ｘは植物名）から抽出したサポニンを含有する植物抽出物をＸサポニン（Ｘは植物名）と呼ぶ。即ち、例えば、キラヤから抽出したサポニンを含有する植物抽出物のことをキラヤサポニンと呼ぶ。植物抽出物中のサポニン含有程度を1Ｈ−ＮＭＲ及び13Ｃ−ＮＭＲにより分析した結果を下記の様に記載する。また、表１中の濃度は、植物抽出物の量に基づく濃度である。
【００４９】
［サポニンの含有程度］
Ａ：サポニンのアグリコン及び糖鎖に由来するピークを主に観測したことから、サポニンが主たる構成成分であると判断した。
Ｂ：サポニンのアグリコン及び糖鎖に由来するピークを他の成分由来のピークと共に検出したので、サポニンが構成成分として含まれていると判断した。
【００５０】
＜サポニン含有植物抽出物＞
・キラヤサポニン：下記抽出方法１で得られたキラヤサポニン、サポニン含有程度Ａ
・ソウキョウサポニン：下記抽出方法２で得られたソウキョウサポニン、サポニン含有程度Ａ
・ムクロジサポニン：下記抽出方法３で得られたムクロジサポニン、サポニン含有程度Ａ
・ショウマサポニン：下記抽出方法４で得られたショウマサポニン、サポニン含有程度Ａ
【００５１】
（１）抽出方法１（キラヤサポニン）
丸善製薬株式会社製キラヤニンS-100（バラ科キラヤ科のキラヤQuillaja saponaria Molより調製したキラヤ抽出物を含有）10.5gをとり、これを減圧下、溶媒を留去して固形物2.1gを得た。これに水500ｍＬおよび水飽和ｎ−ブタノール500ｍＬを加え、分液ロートで振り混ぜた後、分層させた。上層をとり、減圧下、溶媒を留去して粗サポニン画分0.6gを得た。これにアセトン60ｍＬを加え、２５℃にて３０分間撹拌した後これをろ過し、ろ紙に残った固形物を回収して乾燥させ、キラヤサポニン0.5ｇを得た。
【００５２】
（２）抽出方法２（ソウキョウサポニン）
マメ科サイカチ属のGleditsia sinensis Lam.（シナサイカチ）の奇形果実（新和物産株式会社より購入）100gをとり、これを割った後、80vol%エタノール1Ｌを加え、室温（２５℃）下で10日間抽出を行い、ろ過して抽出液890ｍＬを得た。減圧下、溶媒を留去、乾燥させて抽出物16.4gを得た。これに水500ｍＬおよび水飽和ｎ−ブタノール500ｍＬを加え、分液ロートで振り混ぜた後、分層させた。上層をとり、減圧下、溶媒を留去して粗サポニン画分4.8gを得た。これにアセトン480ｍＬを加え、２５℃にて３０分間撹拌した後これをろ過し、ろ紙に残った固形物を回収して乾燥させ、ソウキョウサポニン4.3ｇを得た。
【００５３】
（３）抽出方法３（ムクロジサポニン）
ムクロジ科ムクロジ属の無患子（ムクロジ）Sapindus mukurossiの果実（新和物産株式会社より購入）100gをとり、これを粉砕した後、80vol%エタノール1Ｌを加え、２５℃にて１０日間抽出を行い、ろ過して抽出液930ｍＬを得た。減圧下、溶媒を留去、乾燥させて抽出物20.6gを得た。これに水500ｍＬおよび水飽和ｎ−ブタノール500ｍＬを加え、分液ロートで振り混ぜた後、分層させた。上層をとり、減圧下、溶媒を留去して粗サポニン画分7.8gを得た。これにアセトン780ｍＬを加え、２５℃にて３０分間撹拌した後これをろ過し、ろ紙に残った固形物を回収して乾燥させ、ムクロジサポニン3.4ｇを得た。
【００５４】
（４）抽出方法４（ショウマサポニン）
キンポウゲ科ショウマ属の升麻（ショウマ）Cimicifuga foetidaの根茎（新和物産株式会社より購入）100gをとり、これを細断した後、80vol%エタノール1Ｌを加え、室温下で10日間抽出を行い、ろ過して抽出液870ｍＬを得た。減圧下、溶媒を留去、乾燥させて抽出物13.7gを得た。これに水500ｍＬおよび水飽和ｎ−ブタノール500ｍＬを加え、分液ロートで振り混ぜた後、分層させた。上層をとり、減圧下、溶媒を留去して粗サポニン画分7.2gを得た。これにアセトン720ｍＬを加え、２５℃にて３０分間撹拌した後これをろ過し、ろ紙に残った固形物を回収して乾燥させ、ショウマサポニン6.1ｇを得た。